(57)【要約】【課題】容器のシール部を突き刺して破断するに際して、使用者の手の力が入り易い形状を備えた開封具を提供する。また、容器のリシールの際に、内容液の漏洩がなく、容器からの抜けを防止できる開封具を提供する。【解決手段】天蓋１２の下面に設けられる筒状部１１を容器２の注出筒２３に挿入して開封するに際し、この天蓋１２の上面に基部１３と基部の両側から下方に延びる延長部１４とからなる摘み部１５を設け、両延長部の間の距離を注出筒２３の外径よりも大きくした。また、天蓋の下面には、注出筒の内周面に密着するインナーリング３１が形成されており、筒状部の下方外周面には、容器内部に挿入された後、容器の内壁２４に係止して筒状部の抜けを防止するための突起３２が設けられている。【選択図】図５
2010222017.tif 000002
【特許請求の範囲】
【請求項１】
容器の注出口を封止するシール部を囲繞し上方に延びる注出筒が形成されている容器の該シール部を破断するための開封具であって、
容器の注出筒に挿入する筒状部と、該筒状部の上端を塞ぐ天蓋からなり、該天蓋は注出筒上端面を完全に覆う大きさを有し、該天蓋の上面には、前記筒状部の径方向に延びる基部と該基部の両側から前記筒状部の外壁に沿って下方に延伸した延長部とからなる摘み部が設けられており、前記筒状部は、その下端が容器のシール部を破断するために斜めに切断されて尖った形状となっており、前記両延長部間の距離は、前記注出筒外径より大きく形成されていることを特徴とする開封具。
【請求項２】
前記基部は、天蓋の上面から上方に伸延した平板形状であることを特徴とする請求項１に記載の開封具。
【請求項３】
前記天蓋の下面には、注出筒の内周面に密着するインナーリングが形成されており、前記筒状部の下方外周面には、容器内部に挿入された後、容器の内壁に係止して該筒状部の抜けを防止するための突起が設けられていることを特徴とする請求項１又は２に記載の開封具。
【発明の詳細な説明】
【技術分野】
【０００１】
本発明は、飲料や調味料、薬品等の内容液を収容する容器の開封具に関し、より具体的には注出口がシール部材により封止され、且つそのシール部を取り囲むように上方に延びる注出筒が形成されている容器に対して好適な開封具に関する。
【背景技術】
【０００２】
小容量の紙パック容器に収容されている飲料などを飲む際、容器の注出口のシールをストローを突き刺して破断する場合に、内容液が飛散することがある。そのため、このような容器として、例えば容器上端の一部に注出部を形成し、この注出部に付属のストローを突き刺して容器の注出口のシールを破断することが行われているが、ストローの強度が弱く、シールへの突き刺しに失敗することもあった。そこで、内容液が収容された容器を開封するに際し、シール破断用の開封具が提案されている。
【０００３】
このような開封具に関し、例えば、特許文献１には、注ぎ口とキャップとからなる容器用蓋部材において、紙製容器本体に注ぎ口を粘着シートを介在させて着脱可能に貼着し、注ぎ口又はキャップの何れか一方に容器本体に穴を穿設する尖部を一体形成した開封具が記載されている。
【先行技術文献】
【特許文献】
【０００４】
【特許文献１】特開平８−１１３２６１号公報
【発明の概要】
【発明が解決しようとする課題】
【０００５】
しかしながら、特許文献１に記載の開封具の構造では、キャップと尖部とにより容器本体に注出口を形成することになるため、手で摘み難く開封時の力が伝わりにくいといった問題を有する。また、注出口やキャップの径が小さい場合には、容器の注ぎ口に尖部を突き刺して穴を穿設後に、キャップをねじってキャップと尖部を注ぎ口から取り外すのが容易ではないという問題点がある。
【０００６】
本発明は、このような従来の課題を解決するためになされたもので、シール部が形成されている容器のシール部を突き刺して破断するに際して、使用者の手の力が入り易い形状を備え、しかも開封及び取り外し操作のし易い開封具を提供することを目的とする。
また、本発明の他の目的は、容器のリシールの際に、内容液の漏洩がなく、容器からの抜けを防止できる開封具を提供することである。
【課題を解決するための手段】
【０００７】
（１）本発明の開封具は、容器の注出口を封止するシール部を囲繞し上方に延びる注出筒が形成されている容器の該シール部を破断するための開封具であって、容器の注出筒に挿入する筒状部と、該筒状部の上端を塞ぐ天蓋からなり、該天蓋は注出筒上端面を完全に覆う大きさを有し、該天蓋の上面には、前記筒状部の径方向に延びる基部と該基部の両側から前記筒状部の外壁に沿って下方に延伸した延長部とからなる摘み部が設けられており、前記筒状部は、その下端が容器のシール部を破断するために斜めに切断されて尖った形状となっており、前記両延長部間の距離は、前記注出筒外径より大きく形成されていることを特徴とする。
【０００８】
（２）本発明の開封具は、前記（１）において、前記基部は、天蓋の上面から上方に伸延した平板形状であることを特徴とする。
【０００９】
（３）本発明の開封具は、前記（１）又は（２）において、前記天蓋の下面には、注出筒の内周面に密着するインナーリングが形成されており、前記筒状部の下方外周面には、容器内部に挿入された後、容器の内壁に係止して該筒状部の抜けを防止するための突起が設けられていることを特徴とする。
【発明の効果】
【００１０】
本発明の開封具によれば、天蓋の上面に設けられた延長部を含む摘み部を摘むか或いは、摘み部を含む天蓋を上方から押圧することで、使用者が容器のシール部を突き刺して破断するに際して確実に力を伝達することができ、その結果として容易に容器の開封を行うことができ、しかも、摘み部を摘んで開封具の取り外しも容易に行うことができる。
また、容器の注出筒を跨ぐ両延長部間の距離が注出筒外径より若干大きいので、開封具を容器の注出筒に挿入する際に、この延長部がガイドとなりスムーズに挿入操作を行うことができる。
また、インナーリングによりシール部破断後のリシールを行うことができるにも拘わらず、摘み部を摘むことにより、容易に開閉の操作を行うことができ、さらに筒状部下方外周面の突起により、リシール時に開封具と注出筒との係止力が向上するので、容器の転倒程度では注出筒から開封具が外れ、注出筒より誤って内容液が排出されることはない。
【図面の簡単な説明】
【００１１】
【図１】実施例１の開封具を、容器の注出筒に挿入する際の状態を示す正面図である。
【図２】実施例１の開封具を下斜め方向から見た斜視図である。
【図３】注出筒が設けられた容器の斜視図である。
【図４】実施例１の開封具の使用形態を容器要部と共に示す縦断面図であり、（ａ）は開封前の状態を示し、（ｂ）は開封後の状態を示す。
【図５】（ａ）は実施例２の開封具を下斜め方向から見た斜視図であり、（ｂ）は正面図である。
【図６】実施例２の開封具を用いて、容器のシール部を破断する際の使用形態を説明する縦断面図である。
【発明を実施するための形態】
【００１２】
本発明の好適な実施形態では、本発明の開封具は容器の注出口を封止するシール部を囲繞し上方に延びる注出筒が形成されている容器の該シール部を破断するための開封具であって、容器の注出筒に挿入するストロー状の筒状部と、該筒状部の上端を塞ぐ天蓋からなり、該天蓋は注出筒上端面を完全に覆う大きさを有し、該天蓋の上面には、前記筒状部の径方向に延びる基部と該基部の両側から前記筒状部の外壁に沿って下方に延伸した延長部とからなる摘み部が設けられており、前記筒状部は、その下端が容器のシール部を突き刺して破断するために斜めに切断されて尖った形状となっており、前記両延長部間の距離は、前記注出筒外径より大きく形成されている。
【００１３】
本発明の開封具が用いられる容器としては、その用途や形状、大きさが特定されるものではなく、飲料や調味料、あるいは薬品などの液体の収容に用いられ、紙やプラスチックなどの素材が用途に応じて適宜選択される。
注出口は、容器の外面に設けられており、容器内に収容された内容液を注ぎ出し口であり、内容液により適宜その大きさや形状が決定される。
シール部は、容器の注出口に形成され内容液の漏洩を封止している。シール部の素材としては、開封具の先端を突き刺すことにより破断可能な樹脂コーティングされたアルミ箔やポリエチレンなどの樹脂フィルムなどが挙げられる。
注出筒は、容器のシール部の上に形成され、シール部を囲繞し上方に延びる煙突のような形状をしており、開封具によってシール部を破断した後において、内容液が注出筒を通って注出される。
【００１４】
筒状部は、本発明の開封具の一部であり、容器の注出筒に挿入される部分であり、例えば中空のストローのような形状となっている。また、注出筒の上端面は、注出筒から内容液の外部への漏洩を防止するように天蓋で覆われている。なお、天蓋の形状としては、注出筒の上端面を完全に覆う大きさの円板が挙げられる。これによって、本発明の開封具によって、シール部を破断した後に、この開封具をリシール部材として用いることができる。  また、筒状部の下端は、斜めに切断されて尖った形状となっており、容器の注出筒に挿入して、容器のシール部を破断しやすいようになっている。
【００１５】
天蓋の上面に設けられる摘み部は、天蓋の上面において、筒状部の径方向（即ち、天蓋の径方向）に延びる基部と基部の両側から筒状部の外壁に沿って下方に延伸した延長部とからなり、使用者の手によって摘みやすい形状となっている。
【００１６】
筒状部を跨ぐ位置における両延長部間の距離は、容器の注出筒の外径より若干大きく形成されており、筒状部を注出筒へ挿入する際のガイド、及び挿入後の筒状部の注出筒への固定化という役割を果たし、容器のシール部を突き刺して破断し容器の開封を行うことが容易にできる。
【００１７】
摘み部の基部は、天蓋の上面から上方に伸延した平板形状に形成され、使用者が基部と延長部とによりなる摘み部を摘んで、容器のシール部を突き刺して容易に破断することができる
【００１８】
インナーリングは、天蓋の下面に形成されており、容器の注出筒の内周面と密着することで、容器の開封後は開封具が容器の注出筒をリシールするキャップとして機能し、内容液の漏洩を封止することができる。
【００１９】
突起は、開封具の筒状部の下方外周面に形成されており、筒状部を容器の注出筒に挿入した後において、容器の内壁に係止され、筒状部の抜けを防止する。突起の数としては、筒状部の外周に１又は複数個形成することができる。例えば、筒状部の円周方向に３カ所、１２０°の角度を隔てて形成されることが望ましい。
【００２０】
このように、インナーリングと突起とをさらに具備することで、シール部の開封後にはキャップとして機能させることができ、キャップを別途用意することなく、容器をリシールして内容液の保存性をさらに増すことができる。
【実施例】
【００２１】
以下、本発明を適用した開封具に係る実施例について図を参照しながら説明する。
＜実施例１＞
図１は、実施例１の開封具１を、容器２の注出筒に挿入する際の状態を示す正面図である。図１において、説明の便宜のため容器２の内部を点線にて示している。図２は、実施例１の開封具を、下斜め方向から見た斜視図である。図３は、注出筒が設けられた容器の斜視図である。
【００２２】
図示するように、容器２は、その上部に注出口２１、およびこの注出口２１を封止するシール部２２を備えている。さらに容器２には、シール部２２の上方に配置され該シール部２２を囲繞するように上方に延びる注出筒２３が、容器の上面にリブ２５を介して溶着されている。
【００２３】
容器２には、飲料や調味料、薬品などの内容液が収納され、例えば紙材を用いて角柱形状に形成されている。なお、容器２の形状や大きさはその用途に合わせて種々考えられ、特に本実施例に限定されるものではない。また、シール部２２の素材としては、樹脂コーティングされたアルミ箔やポリエチレンフィルムなどが好適に用いられる。
【００２４】
開封具１は、筒状部１１、天蓋１２、基部１３と延長部１４からなる摘み部１５などから構成されており、容器２に形成されるシール部２２を破断するために用いられる。
【００２５】
ここで、筒状部１１は容器２の注出筒２３に挿入される中空の円筒状の部材であり、射出成形法などで成形される際に、その下端１１１を斜めに成形して尖った形状とされるが、この筒状部１１の下端１１１を尖った形状とするには、切断加工や、切削加工などによっても加工することもできる。
【００２６】
筒状部１１の上端１１２には、この上端１１２を塞ぐ天蓋１２が設けられており、容器２の注出筒２３の上端面２３１を完全に覆う大きさを有する円板形状としている。
【００２７】
天蓋１２の上面には、この天蓋１２の上方に伸延した平板状の基部１３が設けられている。基部１３の両側には、基部１３の両側それぞれから筒状部１１の外壁に沿って、筒状部１１を跨ぐように下方に延伸して、耳のような形状の平板状の延長部１４が設けられている。
【００２８】
図１に示すように、延長部１４の間の距離Ａは、注出筒２３の外径Ｂよりも若干大きくなるように形成されており、筒状部１１を注出筒２３へ挿入する際に、延長部１４の内側が容器の注出筒２３の外周側に位置づけられ、後述する筒状部１１によるシール部の破断のガイドとして作用する。
【００２９】
次に、図４を用いて容器２の開封時における実施例１の開封具１の使用形態を説明する。図４は、容器のシール部２２を破断する際の開封具の使用形態を容器要部と共に示す縦断面図である。図４（ａ）に示すように、容器２の開封に際しては、開封具１の筒状部１１を容器２の注出筒２３へ挿入する。この際、延長部１４がガイドとなり、筒状部１１によるシール部２２の破断を容易に行うことができる。そして筒状部１１の下端１１１は尖った形状となっているので、開封具１の使用者は摘み部１５の基部１３や延長部１４を手で摘んで突き刺すことで、図４（ｂ）に示すように、シール部２２が破断されて注出口２１から内容液の注ぎ出しが可能となる。開封後は、開封具１を容器２から取り外す。
【００３０】
＜実施例２＞
図５を用いて、実施例２の開封具を説明する。なお実施例２における開封具３は、インナーリング３１および突起３２を備えている点で実施例１と異なるが、その他は実施例１と同様である。また、実施例１と共通する部分については同一の符号を付してその説明は省略する。
【００３１】
図５（ａ）は、実施例２に係る開封具３の斜視図であり、図５（ｂ）は開封具３の正面図である。図５（ａ）及び（ｂ）に示すように、天蓋１２の下面には、インナーリング３１が垂下して形成されており、容器２の開封時あるいは封止時に容器２の注出筒２３の内周面２３２と密着して、注出筒２３からの内容液の漏洩を防ぐ。
【００３２】
また、筒状部１１の下方外周面には、筒状部１１の抜けを防止するための突起３２が設けられている。この突起３２は、筒状部１１の先端付近が容器２の内部に挿入された後に容器２の内壁２４に係止する機能を有する。本実施例において、突起３２は筒状部１１の円周方向に互いに１２０°の角度を隔てて３個形成されている。この突起３２の形成位置としては、開封具３が容器２を封止したときに容器２の内壁２４に係止する位置が好適である。
【００３３】
次に、図６を用いて容器２の開封時における実施例２の開封具３の使用形態を説明する。図６は、実施例２の開封具の使用形態を容器要部と共に示す縦断面図である。
図６に示すように、容器２の開封時において、開封具３の筒状部１１を容器２の注出筒２３へ挿入する。そして筒状部２３の下端によりシール部を破断して開封し、開封具３のインナーリング３１を筒状部２３の内周面２３２と密着させて封止する。このとき、筒状部２３の突起３２は容器２の内壁２４に係止され、開封具３の容器２から抜け出しが防止される。
【００３４】
また、突起３２の高さ（厚み）と筒状部１１の外径とを合わせた径Ｃは、インナーリング３１の外径Ｄよりも小さくなるように設定している。これにより、筒状部１１を注出筒２３へ挿入する際において、突起３２が注出筒の内周面２３２と干渉することを防止できる。このように実施例２の開封具３は、インナーリング３１と突起３２とを備えたことにより、封止部材としてのキャップの機能をも兼ね備えることができる。
【００３５】
なお本発明に係る開封具は上記の実施例に限定されず、本発明の趣旨を逸脱しない限度で適宜変更が可能である。
【産業上の利用可能性】
【００３６】
本発明は、飲料や調味料を収容する容器や薬品を保存する容器の開封具として、産業上の利用可能性が極めて高い。
【符号の説明】
【００３７】
１  開封具
２  容器
３  開封具
１１  筒状部
１２  天蓋
１３  基部
１４  延長部
１５  摘み部
２１  注出口
２２  シール部
２３  注出筒
２４  内壁
２５  リブ
３１  インナーリング
３２  突起
１１１  下端部
１１２  上端部
２３１  上端面
２３２  内周面
【図１】
2010222017.tif 000003
【図２】
2010222017.tif 000004
【図３】
2010222017.tif 000005
【図４】
2010222017.tif 000006
【図５】
2010222017.tif 000007
【図６】
2010222017.tif 000008